(57)【要約】【課題】高速処理化と低環境負荷化とを両立させること。【解決手段】モード切替部が、搬送路を第１の搬送速度で駆動させる第１のモードと、前記搬送路を前記第１の搬送速度よりも遅い第２の搬送速度で駆動させる第２のモードとの間で動作モードを切り替え、駆動制御部が、モード切替部によって切り替えられた動作モードに対応する搬送速度で搬送路を駆動させるように貨幣処理装置を構成する。【選択図】        図１
2011159074.tif 000002
【特許請求の範囲】
【請求項１】
貨幣を搬送する搬送路を有する貨幣処理装置であって、
前記搬送路を第１の搬送速度で駆動させる第１のモードと、前記搬送路を前記第１の搬送速度よりも遅い第２の搬送速度で駆動させる第２のモードとの間で動作モードを切り替えるモード切替手段と、
前記モード切替手段によって切り替えられた動作モードに対応する搬送速度で前記搬送路を駆動させる駆動制御手段と
を備えたことを特徴とする貨幣処理装置。
【請求項２】
入金された貨幣あるいは出金すべき貨幣の量を検知する貨幣量検知手段
をさらに備え、
前記モード切替手段は、
前記貨幣量検知手段によって検知された貨幣の量が所定量以下である場合に、前記動作モードを前記第２のモードへ切り替える
ことを特徴とする請求項１に記載の貨幣処理装置。
【請求項３】
前記モード切替手段は、
同一店舗内に設置された所定の機器からの情報に基づき、店舗の混雑度合いが所定以下であると判定した場合に、前記動作モードを前記第２のモードへ切り替える
ことを特徴とする請求項１または２に記載の貨幣処理装置。
【請求項４】
前記モード切替手段は、
同一店舗内に設置され顧客に対して整理券を発行する整理券発行機から通知される前記整理券の発行履歴に基づき、前記整理券の発行頻度が所定の頻度以下となったと判定した場合に、前記動作モードを前記第２のモードへ切り替える
ことを特徴とする請求項３に記載の貨幣処理装置。
【請求項５】
前記モード切替手段は、
店舗の入口に設置された自動ドアの開閉を検知する開閉検知センサから通知される前記自動ドアの開閉履歴に基づき、前記自動ドアの開閉頻度が所定の頻度以下となったと判定した場合に、前記動作モードを前記第２のモードへ切り替える
ことを特徴とする請求項３または４に記載の貨幣処理装置。
【請求項６】
周囲の騒音レベルを測定する騒音レベル測定手段
をさらに備え、
前記モード切替手段は、
前記騒音レベル測定手段によって測定された騒音レベルが所定の値以下である場合に、動作モードを第２のモードへ切り替える
ことを特徴とする請求項１〜５の何れか一つに記載の貨幣処理装置。
【請求項７】
前記搬送路を各搬送速度で搬送させた場合に発生する騒音レベルを当該搬送速度と対応付けて記憶する記憶手段
をさらに備え、
前記駆動制御手段は、
前記動作モードが第２のモードである場合に、前記騒音レベル測定手段によって測定された騒音レベルが、前記第２の搬送速度と対応付けられた騒音レベルよりも低いならば、前記騒音レベル測定手段によって測定された騒音レベルと対応付けられた搬送速度で前記搬送路を駆動させる
ことを特徴とする請求項６に記載の貨幣処理装置。
【請求項８】
前記モード切替手段は、
現在日時が、予め設定された条件と一致した場合に、動作モードを第２のモードへ切り替える
ことを特徴とする請求項１〜７の何れか一つに記載の貨幣処理装置。
【発明の詳細な説明】
【技術分野】
【０００１】
この発明は、貨幣の入出金処理を行う貨幣処理装置に関し、特に、高速処理化と低環境負荷化とを両立させることができる貨幣処理装置に関する。
【背景技術】
【０００２】
従来、銀行等の金融機関の窓口には、貨幣の入出金処理を行う貨幣処理装置が設置されている。この貨幣処理装置は、入金口に投入された貨幣を金種や真偽等の識別を行ったうえで収納部へ収納するとともに、収納された貨幣をユーザからの操作に応じて出金口へ投出する装置である（たとえば、特許文献１参照）。
【０００３】
また、近年では、かかる貨幣処理装置に対して高速処理化の要求が高まっている。ここで、高速処理化とは、たとえば、貨幣の搬送速度や操出速度の高速化あるいは貨幣識別処理の高速化等を示す。
【先行技術文献】
【特許文献】
【０００４】
【特許文献１】特開２００８−３１０５５２号公報
【発明の概要】
【発明が解決しようとする課題】
【０００５】
近年では、環境に対する関心の高まりから貨幣処理装置に対して高速処理化だけでなく低環境負荷化の要求も高まりつつあるが、従来の貨幣処理装置には、高速処理化と低環境負荷化とを両立させることが困難であるという問題がある。ここで、低環境負荷化とは、たとえば、省電力化や低騒音化など地球環境や生活環境への負荷を少なくすることを示す。
【０００６】
具体的には、高速処理化を実現しようとした場合には、貨幣処理装置内のモータやアクチュエータとった駆動部を高速で動作させる必要がある。このように駆動部を高速で動作させた場合、駆動部の各部にかかる摩擦力等が増大し、エネルギーロスが大きくなる結果、省電力化を図ることが困難となる。
【０００７】
また、駆動部を高速で動作させた場合には、たとえば、搬送される紙幣を整列させた状態で集積するための羽根車（札叩きゴム）やその他の回転部材等から発生する騒音が大きくなるため、低騒音化を図ることも困難となる。
【０００８】
これらのことから、高速処理化と低環境負荷化とを両立させることができる貨幣処理装置をいかにして実現するかが大きな課題となっている。
【０００９】
本発明は、上述した従来技術による問題点を解消するためになされたものであって、高速処理化と低環境負荷化とを両立させることができる貨幣処理装置を提供することを目的とする。
【課題を解決するための手段】
【００１０】
上述した課題を解決し、目的を達成するため、本発明は、貨幣を搬送する搬送路を有する貨幣処理装置であって、前記搬送路を第１の搬送速度で駆動させる第１のモードと、前記搬送路を前記第１の搬送速度よりも遅い第２の搬送速度で駆動させる第２のモードとの間で動作モードを切り替えるモード切替手段と、前記モード切替手段によって切り替えられた動作モードに対応する搬送速度で前記搬送路を駆動させる駆動制御手段とを備えたことを特徴とする。
【００１１】
また、本発明は、上記の発明において、入金された貨幣あるいは出金すべき貨幣の量を検知する貨幣量検知手段をさらに備え、前記モード切替手段は、前記貨幣量検知手段によって検知された貨幣の量が所定量以下である場合に、前記動作モードを前記第２のモードへ切り替えることを特徴とする。
【００１２】
また、本発明は、上記の発明において、前記モード切替手段は、同一店舗内に設置された所定の機器からの情報に基づき、店舗の混雑度合いが所定以下であると判定した場合に、前記動作モードを前記第２のモードへ切り替えることを特徴とする。
【００１３】
また、本発明は、上記の発明において、前記モード切替手段は、同一店舗内に設置され顧客に対して整理券を発行する整理券発行機から通知される前記整理券の発行履歴に基づき、前記整理券の発行頻度が所定の頻度以下となったと判定した場合に、前記動作モードを前記第２のモードへ切り替えることを特徴とする。
【００１４】
また、本発明は、上記の発明において、前記モード切替手段は、店舗の入口に設置された自動ドアの開閉を検知する開閉検知センサから通知される前記自動ドアの開閉履歴に基づき、前記自動ドアの開閉頻度が所定の頻度以下となったと判定した場合に、前記動作モードを前記第２のモードへ切り替えることを特徴とする。
【００１５】
また、本発明は、上記の発明において、周囲の騒音レベルを測定する騒音レベル測定手段をさらに備え、前記モード切替手段は、前記騒音レベル測定手段によって測定された騒音レベルが所定の値以下である場合に、動作モードを第２のモードへ切り替えることを特徴とする。
【００１６】
また、本発明は、上記の発明において、前記搬送路を各搬送速度で搬送させた場合に発生する騒音レベルを当該搬送速度と対応付けて記憶する記憶手段をさらに備え、前記駆動制御手段は、前記動作モードが第２のモードである場合に、前記騒音レベル測定手段によって測定された騒音レベルが、前記第２の搬送速度と対応付けられた騒音レベルよりも低いならば、前記騒音レベル測定手段によって測定された騒音レベルと対応付けられた搬送速度で前記搬送路を駆動させることを特徴とする。
【００１７】
また、本発明は、上記の発明において、前記モード切替手段は、現在日時が予め設定された条件と一致した場合に、動作モードを第２のモードへ切り替えることを特徴とする。
【発明の効果】
【００１８】
本発明によれば、モード切替手段が、搬送路を第１の搬送速度で駆動させる第１のモードと、搬送路を第１の搬送速度よりも遅い第２の搬送速度で駆動させる第２のモードとの間で動作モードを切り替え、駆動制御手段が、モード切替手段によって切り替えられた動作モードに対応する搬送速度で搬送路を駆動させることとしたため、高速処理化と低環境負荷化とを両立させることができるという効果を奏する。
【００１９】
また、本発明によれば、貨幣量検知手段が、入金された貨幣あるいは出金すべき貨幣の量を検知し、モード切替手段が、貨幣量検知手段によって検知された貨幣の量が所定量以下である場合に、動作モードを第２のモードへ切り替えることとしたため、貨幣を高速で処理する必要がない場合に省電力化および低騒音化を図りつつ貨幣を処理することができるという効果を奏する。
【００２０】
また、本発明によれば、モード切替手段が、同一店舗内に設置された所定の機器からの情報に基づき、店舗の混雑度合いが所定以下であると判定した場合に、動作モードを第２のモードへ切り替えることとしたため、店舗内が空いている場合には低環境負荷化を図ることのできる第２のモードで駆動させるとともに混雑している場合には紙幣を高速で処理可能な第１のモードで駆動させることができるという効果を奏する。
【００２１】
また、本発明によれば、モード切替手段が、同一店舗内に設置され顧客に対して整理券を発行する整理券発行機から通知される整理券の発行履歴に基づき、整理券の発行頻度が所定の頻度以下となったと判定した場合に、動作モードを第２のモードへ切り替えることとしたため、整理券の発行頻度によって店舗内の混雑具合を判定でき、店舗内が空いている場合には低環境負荷化を図ることのできる第２のモードで駆動させるとともに混雑している場合には紙幣を高速で処理可能な第１のモードで駆動させることができるという効果を奏する。
【００２２】
また、本発明によれば、モード切替手段が、店舗の入口に設置された自動ドアの開閉を検知する開閉検知センサから通知される自動ドアの開閉履歴に基づき、自動ドアの開閉頻度が所定の頻度以下となったと判定した場合に、動作モードを第２のモードへ切り替えることとしたため、自動ドアの開閉頻度によって店舗内の混雑具合を判定でき、店舗内が空いている場合には低環境負荷化を図ることのできる第２のモードで駆動させるとともに混雑している場合には紙幣を高速で処理可能な第１のモードで駆動させることができるという効果を奏する。
【００２３】
また、本発明によれば、騒音レベル測定手段が、周囲の騒音レベルを測定し、モード切替手段が、騒音レベル測定手段によって測定された騒音レベルが所定の値以下である場合に、動作モードを第２のモードへ切り替えることとしたため、低騒音化を適切なタイミングで実現することができるという効果を奏する。
【００２４】
また、本発明によれば、記憶手段が、搬送路を各搬送速度で搬送させた場合に発生する騒音レベルを当該搬送速度と対応付けて記憶しておき、駆動制御手段が、動作モードが第２のモードである場合に、騒音レベル測定手段によって測定された騒音レベルが、第２の搬送速度と対応付けられた騒音レベルよりも低いならば、騒音レベル測定手段によって測定された騒音レベルと対応付けられた搬送速度で搬送路を駆動させることとしたため、貨幣処理装置による騒音レベルを周囲の状況に合わせて低下させることができるという効果を奏する。
【００２５】
また、本発明によれば、モード切替手段が、現在日時が予め設定された条件と一致した場合に、動作モードを第２のモードへ切り替えることとしたため、貨幣処理装置が設置される店舗の状況等に応じて予め設定しておいた最適なタイミングで動作モードを自動的に切り替えることができるという効果を奏する。
【図面の簡単な説明】
【００２６】
【図１】図１は、本発明に係る貨幣処理手法の概要を示す図である。
【図２】図２は、本実施例に係る紙幣処理装置の全体構成を示す図である。
【図３】図３は、本実施例に係る紙幣処理装置の機能構成を示すブロック図である。
【図４】図４は、エコモードへの切替条件の一例を示す図である。
【図５】図５は、モード設定情報の一例を示す図である。
【図６】図６は、パラメータの設定変更操作の一例を示す図である。
【図７】図７は、モード切替部の他の動作例を示す図である。
【図８】図８は、本実施例に係る紙幣処理装置の処理手順を示すフローチャートである。
【図９】図９は、本実施例に係る紙幣処理装置を含むネットワーク構成を示す図である。
【図１０】図１０は、エコモードへの切替条件の他の一例を示す図である。
【発明を実施するための形態】
【００２７】
以下に添付図面を参照して、本発明に係る貨幣処理装置の実施例を詳細に説明する。
【００２８】
まず、実施例の詳細な説明に先立って、本発明に係る貨幣処理手法の概要について図１を用いて説明する。図１は、本発明に係る貨幣処理手法の概要を示す図である。なお、同図の（Ａ）には、本発明に係る貨幣処理手法で用いられる２つの動作モードを示し、同図の（Ｂ）には、各動作モードへの切り替え動作を示している。
【００２９】
同図に示したように、本発明に係る貨幣処理手法では、貨幣の搬送速度および操出速度が異なる複数の動作モードを備えることによって、高速処理化と低環境負荷化とを両立させることとした点に特徴を有する。
【００３０】
具体的には、同図の（Ａ）に示したように、本発明に係る貨幣処理手法では、貨幣処理装置に対して「通常モード」および「エコモード」の２つの動作モードを設けている。ここで、「通常モード」とは、貨幣を搬送する搬送路や貨幣を搬送路へ操出する操出部を通常の搬送速度および操出速度で駆動させる動作モードを示す。一方、「エコモード」とは、搬送路や操出部を通常モードよりも遅い搬送速度および操出速度で駆動させる動作モードを示す。
【００３１】
すなわち、動作モードが通常モードである場合には、搬送路や操出部がエコモードよりも早い搬送速度および操出速度で駆動することとなるため、貨幣の入金処理や出金処理をエコモードと比較して高速で行うことができる。
【００３２】
一方、動作モードがエコモードである場合には、搬送路や操出部が通常モードよりも遅い速度で駆動することとなる。ここで、搬送路や操出部を通常モードよりも遅い速度で駆動させると、貨幣処理装置内のモータやアクチュエータとった駆動部にかかる摩擦力等が減少するため、通常モード時と比較してエネルギーロスを少なくすることができる。したがって、搬送路や操出部をエコモードで駆動させることによって省電力化を図ることができる。
【００３３】
また、動作モードがエコモードである場合には、搬送路や操出部を駆動させるためのローラや、搬送される紙幣を整列した状態で集積するための羽根車（以下、「札叩きゴム」と記載する）といった回転部材の回転数が少なくなる。このため、これら回転部材から発生する音の周波数が低くなり音圧レベルが低下する結果、貨幣処理装置によって発生する騒音レベルを低減することができる。すなわち、搬送路や操出部をエコモードで駆動させることによって低騒音化を図ることも可能である。
【００３４】
このように、本発明に係る貨幣処理手法では、搬送路および操出部を第１の速度で駆動させる通常モード（第１のモード）と、搬送路および操出部を第１の速度よりも遅い第２の速度で駆動させるエコモード（第２のモード）との間で動作モードを切り替え、切り替えた動作モードに対応する速度で搬送路および操出部を駆動させることとしたため、貨幣処理装置の高速処理化および低環境負荷化を両立させることができる。
【００３５】
なお、本発明に係る貨幣処理手法によれば、動作モードをエコモードとした場合に、回転部材の回転数が下がり各部の磨耗が抑制される結果、消耗部品や貨幣処理装置自体の寿命を延ばすことができるため、この点からも低環境負荷化が実現されていると言える。
【００３６】
ところで、本発明に係る貨幣処理手法では、これらの動作モードを様々な要因に基づいて切り替えることとしている。具体的には、同図の（Ｂ）に示したように、本発明に係る貨幣処理手法では、貨幣処理装置自体に生じた要因（内的要因）や貨幣処理装置外からの要因（外的要因）に基づき、動作モードを切り替えるか否かの切替判定を行う（同図の（Ｂ−１）参照）。そして、本発明に係る貨幣処理手法では、切替判定の結果に応じて動作モードを通常モードあるいはエコモードへ切り替える（同図の（Ｂ−２）参照）。
【００３７】
ここで、本発明に係る貨幣処理手法では、内的要因として、ユーザ操作によるモード切替指示のほか、入金貨幣数あるいは出金貨幣数に応じて動作モードの切り替えることもできる。たとえば、本発明に係る貨幣処理手法では、貨幣処理装置に対して大量の貨幣が投入された場合、あるいは、貨幣処理装置から大量の貨幣を出金する場合には、動作モードを通常モードへ切り替えることによって、これら大量の貨幣を高速で処理することができる。
【００３８】
一方、貨幣処理装置へ入金された貨幣の数あるいは貨幣処理装置から出金する貨幣の数が比較的少ない場合には、動作モードをエコモードへ切り替えることによって、省電力化および低騒音化を図りつつ貨幣を処理することができる。このように、処理対象となる貨幣の数に応じて適切な動作モードへ切り替えることによって、ユーザにとっての利便性を損なうことなく、高速処理化と低環境負荷化との両立を実現することができる。
【００３９】
また、本発明に係る貨幣処理手法では、外的要因として、貨幣処理装置に接続する上位装置からの遠隔指示のほか、貨幣処理装置が設置された店舗への来客数あるいは貨幣処理装置の周囲の騒音レベル等に応じて動作モードの切り替えを行うこともできる。これらの詳細については実施例において後述することとする。
【００４０】
なお、これまでは、搬送路および操出部の駆動速度を遅くすることによって低環境負荷化を実現する場合について説明したが、これに限ったものではない。たとえば、本発明に係る貨幣処理手法では、動作モードがエコモードである場合に、各種操作ボタンの照明や表示部のバックライトといった照明部の照明時間を短くしたり照明の明るさを暗くしたりする照明制御を併せて行うこととしてもよい。これによって、更なる省電力化を図ることができる。また、動作モードがエコモードである場合には、省電力状態（スリープ状態）となるまでの時間を短くすることとしてもよい。
【００４１】
また、これまでは、動作モードが通常モードおよびエコモードの２つである場合について説明したが、これに限ったものではなく、動作モードの数は３つ以上であってもよい。また、各動作モードにおける搬送速度や操出速度等は、ユーザにより任意に設定変更可能としてもよい。かかる場合、設定される搬送速度や操出速度に対応した消費電力削減率あるいは騒音削減率を表示部に対して表示させることとすれば、ユーザが、どの程度の省電力化あるいは低騒音化が期待できるかを確認しながら搬送速度や操出速度を設定することができる。
【００４２】
以下では、図１を用いて説明した貨幣処理手法を適用した貨幣処理装置についての実施例を詳細に説明する。なお、以下では、貨幣処理装置の一例として、紙幣の入出金処理を行う紙幣処理装置を用いて説明する。ただし、本発明に係る貨幣処理装置は、紙幣処理装置だけでなく硬貨の入出金処理を行う硬貨処理装置や紙幣および硬貨の入出金処理を行う貨幣処理装置に対しても適用することができる。また、本発明に係る貨幣処理装置は、貨幣の入金処理のみを行う入金処理装置や貨幣の出金処理のみを行う出金処理装置に対しても適用することができる。
【実施例】
【００４３】
図２は、本実施例に係る紙幣処理装置の全体構成を示す図である。同図に示すように、本実施例に係る紙幣処理装置１は、入金口１１と、識別計数部１２と、出金口１３と、リジェクト口１４と、一時保留部１５と、搬送路１６と、スタッカ１７ａ〜１７ｅと、精査カセット１８とを含んでいる。
【００４４】
入金口１１は、装置の天面を凹状に窪ませて開口を形成したボックスであり、ボックスの底面に設けられたローラ等の操出部１１ａによって入金紙幣を１枚ずつ装置内部の搬送路１６へと繰り込む。また、入金口１１には、入金口１１に投入された紙幣の量を検知するための入金量検知センサ（図示せず）が設けられている。
【００４５】
ここで、入金量検知センサとしては、たとえば、入金口１１に載積された紙幣の重量を検知する重量センサあるいは入金口１１に積載された紙幣の高さが所定の高さ以上となったことを検知する赤外線センサ等を用いることができる。このように、入金量検知センサは、入金された紙幣のおおよその枚数が特定できるものであればよい。
【００４６】
識別計数部１２は、搬送路１６によって搬送される紙幣を識別する紙幣識別機である。具体的には、識別計数部１２は、搬送路１６によって搬送されてきた紙幣に対して金種判定、真偽判定、正損判定、表裏判定あるいは天地判定といった各種の鑑別を行う。なお、真偽判定とは、紙幣が本物か偽物かを判定することを示す。また、正損判定とは、本物の紙幣のうち状態のよい紙幣（正券）か汚れや損傷がある紙幣（損券）かを判定することを示す。
【００４７】
出金口１３は、入金口１１と同様に開口が形成されたボックスであり、図示しない操作部への操作に応じて装置内部から投出された出金紙幣が集積される。また、出金口１３には、出金口１３へ投出した紙幣を整列した状態で集積する札叩きゴム１３ａが設けられている。
【００４８】
リジェクト口１４は、入金口１１や出金口１３と同様に開口が形成されたボックスであり、入金紙幣のうち識別計数部１２によって不適正と識別された紙幣（偽券、損券あるいは識別不能紙幣）が集積される。かかるリジェクト口１４には、同図に示したように、出金口１３と同様の札叩きゴム１４ａが設けられている。一時保留部１５は、出金処理時に不適正と識別された出金紙幣を一時的に保留する保留部であり、一時保留部１５内へ紙幣を繰り入れる機構および繰り入れた紙幣を一時保留部１５外へ繰り出す機構を有している。かかる一時保留部１５には、同図に示したように、入金口１１と同様の操出部１５ａが設けられている。
【００４９】
搬送路１６は、紙幣を表裏両側から挟持して一枚ずつ搬送するベルトコンベアである。具体的には、搬送路１６は、入金口１１、識別計数部１２、出金口１３、リジェクト口１４、一時保留部１５、スタッカ１７ａ〜１７ｅおよび精査カセット１８を相互に接続し、これら各部の間で紙幣の搬送を行う。
【００５０】
スタッカ１７ａ〜１７ｅは、紙幣を金種ごとに収納する収納部である。たとえば、紙幣処理装置１は、識別計数部１２によって千円札と識別された紙幣を搬送路１６を介してスタッカ１７ａへ収納し、二千円札と識別された紙幣をスタッカ１７ｂへ収納する。同様に、紙幣処理装置１は、識別計数部１２によって五千円札と識別された紙幣を搬送路１６を介してスタッカ１７ｃへ収納し、一万円札と識別された紙幣を搬送路１６を介してスタッカ１７ｄへ収納する。また、紙幣処理装置１は、識別計数部１２によって偽券、損券あるいは識別不能と判定された紙幣をリジェクト口１４へ投出する。
【００５１】
また、ユーザから出金操作を受け付けた場合には、紙幣処理装置１は、操作に応じた紙幣をスタッカ１７ａ〜１７ｄから繰り出し、搬送路１６を介して出金口１３から投出する。なお、紙幣処理装置１は、スタッカ１７ａ〜１７ｄから繰り出した紙幣を再度識別計数部１２で識別し、不適切な紙幣が混在している場合には、かかる不適切な紙幣を一時保留部１５で一時的に保留したのち、スタッカ１７ａ〜１７ｄの下部に設けられた図示しない集積部へ投出する。
【００５２】
精査カセット１８は、紙幣処理装置１に対して脱着可能な現金カセットであり、紙幣詰まりなどが原因でスタッカ１７ａ〜１７ｅの収納枚数が不確定となった場合にそのスタッカの収納枚数を精査する機能を有する。なお、精査カセット１８は、スタッカ１７ａ〜１７ｅと同様に紙幣を収納するとともに収納した紙幣を搬送路１６へ繰り出すことも可能である。
【００５３】
次に、本実施例に係る紙幣処理装置１の機能構成について図３を用いて説明する。図３は、本実施例に係る紙幣処理装置の機能構成を示すブロック図である。なお、同図には、紙幣処理装置１の特徴を説明するために必要な構成要素のみを示しており、一般的な構成要素についての記載を省略している。
【００５４】
同図に示すように、本実施例に係る紙幣処理装置１は、操作表示部１１１と、入金量検知センサ１１２と、騒音レベル測定部１１３と、駆動部１１４と、照明部１１５と、制御部１２０と、記憶部１３０とを備えている。また、制御部１２０は、切替判定部１２０ａと、モード切替部１２０ｂと、駆動制御部１２０ｃと、照明制御部１２０ｄとを備え、記憶部１３０は、切替条件１３０ａと、モード設定情報１３０ｂとを記憶している。
【００５５】
操作表示部１１１は、ユーザからの各種操作を受け付ける入力装置と各種情報を表示するディスプレイとを含んで構成される。具体的には、操作表示部１１１は、動作モードの切替操作やスタッカ１７ａ〜１７ｅに収納されている紙幣の出金操作等を受け付ける。
【００５６】
また、操作表示部１１１は、モード切替操作や出金操作を受け付けると、モード切替指示や出金指示を切替判定部１２０ａへ通知する。ここで、モード切替指示には、通常モードまたはエコモードのどちらに切り替えるかを示す情報が含まれている。また、出金指示には、どの金種の紙幣を何枚投出するかを示す情報が含まれている。なお、モード切替操作は、所定の設定画面にて行ってもよいし、モード切替のための専用ボタンの押下によって行ってもよい。
【００５７】
また、操作表示部１１１は、エコモードに関する各種パラメータの変更操作を受け付けた場合には、変更操作がなされた旨をモード切替部１２０ｂへ通知する。また、操作表示部１１１は、入金口１１へ投入した紙幣の入金開始操作を受け付けた場合あるいは出金操作を受け付けた場合には、入金開始指示や出金指示を駆動制御部１２０ｃへ通知する。
【００５８】
入金量検知センサ１１２は、入金口１１に投入された紙幣のおおよその数を検知するためのセンサである。この入金量検知センサ１１２は、入金口１１に載積された紙幣の重量あるいは入金口１１に載積された紙幣が所定の高さ以上であることを示す検知結果を切替判定部１２０ａへ通知する。
【００５９】
騒音レベル測定部１１３は、紙幣処理装置１の外周の所定位置に設けられた集音部を用いて周囲の騒音レベルを測定する測定部であり、測定によって得られた騒音レベルを切替判定部１２０ａへ通知する。なお、騒音レベル測定部１１３は、紙幣処理装置１が入金処理あるいは出金処理を行っていない場合にのみ周囲の騒音レベルを測定するのが望ましい。これは、紙幣処理装置１が入金処理中あるいは出金処理中である場合には、周囲の騒音を正確に測定できないおそれがあるためである。
【００６０】
駆動部１１４は、搬送路１６や操出部１１ａ，１５ａ、札叩きゴム１３ａ，１４ａ等を駆動させる駆動部であり、駆動制御部１２０ｃによって制御される。照明部１１５は、操作表示部１１１に設けられた各種操作ボタンやディスプレイを照明する照明部であり、照明制御部１２０ｄによって制御される。
【００６１】
制御部１２０は、動作モードの切替判定および切り替え、駆動部１１４の駆動制御、照明部１１５の照明制御といった処理を行う処理部である。切替判定部１２０ａは、操作表示部１１１や入金量検知センサ１１２あるいは騒音レベル測定部１１３から受け取った情報を記憶部１３０に記憶された切替条件と照らし合わせることによって、動作モードを切り替えるか否かを判定する処理部である。また、切替判定部１２０ａは、動作モードを切り替えるべきと判定した場合に、動作モードの切替指示をモード切替部１２０ｂに対して行う。
【００６２】
ここで、切替判定部１２０ａによる切替判定処理の動作例について図４を用いて説明する。図４は、エコモードへの切替条件の一例を示す図である。同図に示すように、切替判定部１２０ａは、操作表示部１１１へのモード切替操作に応じて動作モードを切り替える（同図の（Ｔ１）参照）。具体的には、切替判定部１２０ａは、操作表示部１１１からモード切替指示を受け取った場合に、かかるモード切替指示に応じた動作モードへの切り替え指示をモード切替部１２０ｂに対して行う。
【００６３】
また、切替判定部１２０ａは、曜日や時間帯に応じて動作モードの切り替えを判定してもよい（同図の（Ｔ２）参照）。具体的には、記憶部１３０には、切替条件１３０ａとして、各曜日あるいは各時間帯と動作モードとが対応付けて記憶される。そして、切替判定部１２０ａは、曜日や時間帯が切り替わった場合に、切替条件１３０ａを参照して、現在の曜日あるいは時間帯に対応する動作モードへの切替指示をモード切替部１２０ｂに対して行う。
【００６４】
ここで、来客数が少ない曜日や時間帯では通常モードで駆動させ、それ以外の曜日や時間帯ではエコモードで駆動させることとすれば、来客数が多いにもかかわらずエコモードで駆動することによって顧客の回転率が低下したり、あるいは、来客数が少ないにもかかわらず通常モードで駆動することによって無駄な消費電力を消費したりすることを防止できる。また、紙幣処理装置１をエコモードで駆動させることで、紙幣処理装置１によって発生する騒音レベルを低下させることができる。
【００６５】
このように、現在日時が予め設定された条件と一致した場合に、動作モードをエコモードへ切り替えることとしたため、紙幣処理装置１が設置される店舗の状況等に応じて予め設定しておいた最適なタイミングで動作モードを自動的に切り替えることができる。
【００６６】
また、切替判定部１２０ａは、投入された紙幣の量に応じて動作モードの切り替えを判定してもよい（同図の（Ｔ３）参照）。具体的には、記憶部１３０には、切替条件１３０ａとして、入金口１１へ投入される紙幣の重量の閾値が記憶されている。そして、切替判定部１２０ａは、入金量検知センサ１１２から紙幣の重量に関する情報を受け取った場合に、受け取った情報によって示される紙幣の重量が上記の閾値以下であるならば、エコモードへの切替指示をモード切替部１２０ｂに対して行う。
【００６７】
このように、入金量検知部１１２によって検知された貨幣の量が所定量以下である場合に、動作モードをエコモードへ切り替えることによって、省電力化および低騒音化を図りつつ貨幣を処理することができる。
【００６８】
一方、切替判定部１２０ａは、受け取った情報によって示される紙幣の重量が上記の閾値よりも多い場合には、通常モードへの切替指示をモード切替部１２０ｂに対して行う。すなわち、紙幣処理装置１に対して大量の紙幣が投入された場合に、動作モードを通常モードへ切り替えることで、これら大量の紙幣を高速で処理することができる。
【００６９】
なお、入金量検知センサ１１２が、入金口１１に積載された紙幣の高さが所定の高さ以上となったことを検知する赤外線センサである場合、切替判定部１２０ａは、かかる検知結果を入金量検知センサ１１２から受け取ったならば、通常モードへの切替指示をモード切替部１２０ｂに対して行うこととすればよい。
【００７０】
また、切替判定部１２０ａは、操出する紙幣の枚数に応じて動作モードの切り替えを判定してもよい（同図の（Ｔ４）参照）。具体的には、記憶部１３０には、切替条件１３０ａとして、出金口１３へ投出される紙幣の枚数の閾値が記憶されている。そして、切替判定部１２０ａは、操作表示部１１１から出金指示を受け取った場合に、受け取った出金指示に含まれる出金紙幣の枚数が上記の閾値以下であるならば、エコモードへの切替指示をモード切替部１２０ｂに対して行う。
【００７１】
一方、切替判定部１２０ａは、受け取った出金指示に含まれる出金紙幣の枚数が上記の閾値よりも多い場合には、通常モードへの切替指示をモード切替部１２０ｂに対して行う。このように、処理対象となる紙幣の量あるいは数に応じて適切な動作モードへ切り替えることによって、ユーザにとっての利便性を損なうことなく、通常モードによる高速処理化とエコモードによる低環境負荷化との両立を実現することができる。
【００７２】
また、切替判定部１２０ａは、騒音レベル測定部１１３によって測定された装置周囲の騒音レベルに応じて動作モードの切り替えを判定してもよい（同図の（Ｔ５）参照）。具体的には、記憶部１３０には、切替条件１３０ａとして、騒音レベルの閾値が記憶されている。そして、切替判定部１２０ａは、騒音レベル測定部１１３から受け取った騒音レベルが上記の閾値以下である場合に、エコモードへの切替指示をモード切替部１２０ｂに対して行う。
【００７３】
一方、切替判定部１２０ａは、騒音レベル測定部１１３から受け取った騒音レベルが上記の閾値よりも高い場合には、通常モードへの切替指示をモード切替部１２０ｂに対して行う。このように、騒音レベル測定部１１３よって測定された騒音レベルが所定の値以下である場合に、動作モードをエコモードへ切り替えることとすれば、低騒音化を適切なタイミングで実現することができる。
【００７４】
図３へ戻り、モード切替部１２０ｂについて説明する。モード切替部１２０ｂは、切替判定部１２０ａから動作モードの切替指示を受けた場合に、モード設定情報１３０ｂを更新することによって通常モードとエコモードとの間で動作モードの切り替えを行う処理部である。ここで、モード設定情報１３０ｂについて図５を用いて説明する。図５は、モード設定情報１３０ｂの一例を示す図である。
【００７５】
同図に示すように、モード設定情報１３０ｂは、「動作モード」ごとに、「搬送速度」項目、「操出速度」項目、「照明レベル」項目、「照明時間」項目および「設定フラグ」項目を関連付けた情報である。ここで、「搬送速度」項目は、搬送路１６による紙幣の搬送速度に関する情報が格納される項目である。同図では、「通常モード」と対応付けて「１６００ｍｍ／秒」が格納され、「エコモード」と対応付けて「１２００ｍｍ／秒」が格納されている。
【００７６】
また、「操出速度」項目は、操出部１１ａ，１５ａによる紙幣の操出速度に関する情報が格納される項目である。同図では、「通常モード」と対応付けて「１０枚／秒」が格納され、「エコモード」と対応付けて「７枚／秒」が格納されている。このように、エコモードには、通常モードよりも遅い搬送速度および操出速度が対応付けられている。
【００７７】
また、「照明レベル」項目は、照明部１１５による照明の明るさに関する情報が格納される項目である。同図では、「通常モード」と対応付けて「明」が格納され、「エコモード」と対応付けて「暗」が格納されている。
【００７８】
また、「照明時間」項目は、照明部１１５による照明時間に関する情報が格納される項目である。同図では、「通常モード」と対応付けて「１０秒」が格納され、「エコモード」と対応付けて「５秒」が格納されている。このように、エコモードには、通常モードよりも暗い照明レベルおよび通常モードよりも短い照明時間が対応付けられている。
【００７９】
また、「設定フラグ」項目は、現在設定中の動作モードを示すフラグ情報が格納される項目である。同図では、「通常モード」と対応付けて「あり」が格納され、「エコモード」と対応付けて「なし」が格納されている。これは、現在設定中の動作モードが「通常モード」であることを示している。
【００８０】
モード切替部１２０ｂは、切替判定部１２０ａから動作モードの切替指示を受けた場合に、モード設定情報１３０ｂのうち「設定フラグ」項目を更新することによって動作モードの切り替えを行う。
【００８１】
ところで、同図に示したエコモードに対応する「搬送速度」、「操出速度」、「照明レベル」、「照明時間」といった各種のパラメータは、ユーザによって任意に設定変更することができる。具体的には、操作表示部１１１がパラメータの変更操作を受け付けると、変更操作がなされた旨をモード切替部１２０ｂへ通知する。そして、モード切替部１２０ｂは、操作表示部１１１から受け取った情報に応じて、モード設定情報１３０ｂの各パラメータを変更する。
【００８２】
このとき、設定される搬送速度や操出速度に対応した消費電力削減率あるいは騒音削減率を操作表示部１１１に対して表示させることとしてもよい。以下では、かかる場合について図６を用いて説明しておく。図６は、パラメータの設定変更操作の一例を示す図である。
【００８３】
なお、ここでは、一例として、搬送速度の設定変更を行う場合について説明する。同図の（Ａ）には、各搬送速度に対応する消費電力および騒音レベルに関する実測データを示しており、同図の（Ｂ）には、動作モードの設定画面の一例を示している。
【００８４】
同図の（Ａ）に示したように、記憶部１３０には、搬送路１６の搬送速度ごとに、「消費電力」項目、「消費電力削減率」項目、「騒音レベル」項目および「騒音削減率」項目が記憶されている。ここで、「消費電力」項目は、対応する搬送速度で搬送路１６を搬送させた場合の紙幣処理装置１全体の消費電力に関する実測データが格納される項目である。また、「消費電力削減率」項目は、搬送速度「１６００ｍｍ／秒」時の消費電力を１００％とした場合における消費電力の削減率に関する情報が格納される項目である。
【００８５】
また、「騒音レベル」項目は、対応する搬送速度で搬送路１６を搬送させた場合の紙幣処理装置１の騒音レベルに関する実測データが格納される項目である。また、「騒音削減率」項目は、搬送速度「１６００ｍｍ／秒」時の騒音レベルを１００％とした場合における騒音レベルの削減率に関する情報が格納される項目である。
【００８６】
そして、ユーザが搬送速度の設定変更を行う場合、操作表示部１１１には、同図の（Ｂ）に示したように、設定した搬送速度に対応する消費電力削減率および騒音削減率が表示される。たとえば、ユーザによって、エコモード時の搬送速度が通常モード時の搬送速度（１６００ｍｍ／秒）の５０％すなわち８００ｍｍ／秒に設定されたとする（同図の（Ｂ−１）参照）。かかる場合、操作表示部１１１には、設定された搬送速度８００ｍｍ／秒に対応する表示電力削減率「１５％」および騒音削減率「３０％」がそれぞれ表示される（同図の（Ｂ−２），（Ｂ−３）参照）。
【００８７】
このように、設定される搬送速度に対応した消費電力削減率や騒音削減率を操作表示部１１１に対して表示させることによって、ユーザが、どの程度の省電力化あるいは低騒音化が期待できるかを確認しながら設定変更操作を行うことができる。
【００８８】
図３に戻り、駆動制御部１２０ｃについて説明する。駆動制御部１２０ｃは、操作表示部１１１から入金開始指示または出金指示を受け取った場合に、モード設定情報１３０ｂを参照して現在設定中の動作モードに対応する搬送速度および操出速度で駆動部１１４を駆動させる処理部である。
【００８９】
具体的には、駆動制御部１２０ｃは、設定フラグ「あり」が「通常モード」に対して対応付けられている場合には、駆動部１１４に対して搬送路１６を搬送速度１６００ｍｍ／秒で駆動させるとともに操出部１１ａ，１５ａを操出速度１０枚／秒で操出させる。一方、駆動制御部１２０ｃは、設定フラグ「あり」が「エコモード」に対して対応付けられている場合には、駆動部１１４に対して搬送路１６を搬送速度１２００ｍｍ／秒で駆動させるとともに操出部１１ａ，１５ａを操出速度７枚／秒で操出させる。
【００９０】
照明制御部１２０ｄは、操作表示部１１１に対して何かしらの操作がなされた場合に、モード設定情報１３０ｂを参照して現在設定中の動作モードに対応する照明レベルおよび照明時間で照明部１１５を照明させる処理部である。
【００９１】
具体的には、照明制御部１２０ｄは、設定フラグ「あり」が「通常モード」に対して対応付けられている場合には、操作表示部１１１の操作ボタンやディスプレイを照明レベル「明」で「１０秒間」照明し続ける。一方、照明制御部１２０ｄは、設定フラグ「あり」が「エコモード」に対して対応付けられている場合には、操作表示部１１１の操作ボタンやディスプレイを照明レベル「暗」で「５秒間」照明し続ける。
【００９２】
このように、動作モードがエコモードである場合に、動作モードが第１のモードである場合と比較して操作表示部１１１の照明レベルを低くしたり照明時間を短くしたりすることとしたため、エコモードによる更なる省電力化を図ることができる。なお、動作モードがエコモードである場合には、省電力状態（スリープ状態）となるまでの時間を短くすることとしてもよく、これによっても、更なる省電力化を図ることができる。
【００９３】
ところで、これまでは、ユーザからの操作に応じてエコモードのパラメータを変更する場合について説明したが、これに限ったものではない。たとえば、周囲の騒音レベルに応じてエコモードのパラメータを変更することとしてもよい。以下では、かかる場合について図７を用いて説明する。図７は、モード切替部の他の動作例を示す図である。なお、同図には、一例として、周囲の騒音レベルに応じて搬送速度を変更する場合について示している。
【００９４】
同図に示すように、モード切替部１２０ｂは、搬送速度１２００ｍｍ／秒で搬送路１６を搬送させた場合における紙幣処理装置１の騒音レベルが４５ｄＢであることを図６の（Ａ）に示した実測データから特定することができる。ここで、同図に示したように、紙幣処理装置１が入金処理および出金処理を行っていない状態で騒音レベル測定部１１３によって測定された装置周囲の騒音レベルが３５ｄＢであったとする。
【００９５】
かかる場合、モード切替部１２０ｂは、図６の（Ａ）に示した実測データを参照して、エコモード時の搬送速度を、紙幣処理装置１の騒音レベルが周囲の騒音レベル３５ｄＢと一致するような搬送速度８００ｍｍ／秒に変更する。
【００９６】
このように、搬送路１６を各搬送速度で搬送させた場合に発生する騒音レベルを当該搬送速度と対応付けてあらかじめ記憶しておき、騒音レベル測定部１１３によって測定された騒音レベルが、エコモード時の搬送速度と対応付けられた騒音レベルよりも低いならば、騒音レベル測定部１１３によって測定された騒音レベルと対応付けられた搬送速度で搬送路１６を駆動させることとすれば、紙幣処理装置１による騒音レベルを周囲の状況に合わせて低下させることができる。
【００９７】
次に、本実施例に係る紙幣処理装置１の具体的動作について図８を用いて説明する。図８は、紙幣処理装置１の処理手順を示すフローチャートである。なお、同図においては、入金口１１へ投入された紙幣を金種ごとのスタッカ１７ａ〜１７ｅへ収納するまでの処理手順を示している。
【００９８】
同図に示すように、操作表示部１１１が入金開始操作を受け付けると（ステップＳ１０１）、駆動制御部１２０ｃは、モード設定情報１３０ｂを参照して動作モードがエコモードであるか否かを判定する（ステップＳ１０２）。そして、駆動制御部１２０ｃは、動作モードがエコモードであると判定した場合には（ステップＳ１０２、Ｙｅｓ）、エコモードに対応する搬送速度および操出速度をモード設定情報１３０ｂから取り出す（ステップＳ１０３）。
【００９９】
一方、動作モードがエコモードでない場合には（ステップＳ１０２、Ｎｏ）、駆動制御部１２０ｃは、通常モードに対応する搬送速度および操出速度をモード設定情報１３０ｂから取り出す（ステップＳ１０４）。
【０１００】
つづいて、駆動制御部１２０ｃは、モード設定情報１３０ｂから取り出した操出速度で入金口１１の操出部１１ａを駆動させるとともに（ステップＳ１０５）、モード設定情報１３０ｂから取り出した搬送速度で搬送路１６を駆動させる（ステップＳ１０６）。
【０１０１】
つづいて、識別計数部１２は、搬送路１６によって搬送されてきた紙幣の識別計数を行う（ステップＳ１０７）。そして、紙幣処理装置１は、識別計数部１２による識別結果に応じて紙幣を金種ごとのスタッカ１７ａ〜１７ｅへ収納して（ステップＳ１０８）、処理を終了する。
【０１０２】
上述してきたように、本実施例では、モード切替部が、搬送路を第１の搬送速度で駆動させる第１のモード（通常モード）と、搬送路を第１の搬送速度よりも遅い第２の搬送速度で駆動させる第２のモード（エコモード）との間で動作モードを切り替え、駆動制御部が、モード切替部によって切り替えられた動作モードに対応する搬送速度で搬送路を駆動させることとした。したがって、高速処理化と低環境負荷化とを両立させることができる。
【０１０３】
ところで、上述してきた実施例では、紙幣処理装置１の各部（操作表示部１１１や入金量検知センサ１１２、騒音レベル測定部１１３など）から入力される情報に基づいて動作モードの切り替えを判定する場合について説明してきたが、これに限ったものではない。たとえば、紙幣処理装置１の外部から入力される情報に基づいて動作モードの切り替えを判定することとしてもよい。以下では、かかる場合について説明する。図９は、本実施例に係る紙幣処理装置１を含むネットワーク構成を示す図である。
【０１０４】
同図に示すように、紙幣処理装置１は、店舗内ＬＡＮ（Local  Area  Network）等のネットワークを介して管理装置２０と、開閉検知センサ３０と、整理券発行機４０と接続されている。
【０１０５】
管理装置２０は、店舗内に設置される各種の装置の管理を行う装置である。開閉検知センサ３０は、店舗の入り口に設置された自動ドア３１の開閉を検知するセンサである。この開閉検知センサ３０は、自動ドアの開閉を検知した場合に、検知時刻を含む開閉検知結果を店舗内ＬＡＮを介して紙幣処理装置１へ通知する。整理券発行機４０は、店舗内に設置されるとともに店舗へ来店した顧客に対して整理券を発行する装置である。この整理券発行機４０は、整理券を発行した場合に、発行時刻を含む整理券発行情報を店舗内ＬＡＮを介して紙幣処理装置１へ通知する。
【０１０６】
また、紙幣処理装置１の記憶部１３０には、開閉履歴１３０ｃと、整理券発行履歴１３０ｄとがさらに記憶されている。ここで、開閉履歴１３０ｃは、開閉検知センサ３０から受け取った自動ドア３１の開閉検知結果の履歴情報である。また、整理券発行履歴１３０ｄは、整理券発行機４０から受け取った整理券発行情報の履歴である。
【０１０７】
なお、ここでは、紙幣処理装置１が開閉履歴１３０ｃおよび整理券発行履歴１３０ｄを記憶することとしたが、これに限ったものではなく、開閉履歴１３０ｃおよび整理券発行履歴１３０ｄを管理装置２０が記憶してもよい。
【０１０８】
そして、紙幣処理装置１は、管理装置２０からの指示あるいは記憶部１３０に記憶された開閉履歴１３０ｃや整理券発行履歴１３０ｄに基づいて動作モードの切り替えを判定する。ここで、かかる場合における切替判定部１２０ａの動作例について図１０を用いて説明する。図１０は、エコモードへの切替条件の他の一例を示す図である。
【０１０９】
同図に示すように、切替判定部１２０ａは、管理装置２０から店舗内ＬＡＮ経由で通知されるモード切替指示に応じて動作モードの切り替えを判定することもできる（同図の（Ｔ６）参照）。具体的には、管理装置２０の操作者は、店舗内に設置された監視カメラ等によって店舗内の混み具合を監視しており、混雑時には、管理装置２０を用いて通常モードに切り替えるべき旨の情報を含んだモード切替指示を紙幣処理装置１に対して通知する。
【０１１０】
また、切替判定部１２０ａは、自動ドア３１の開閉頻度に応じて動作モードの切り替えを判定することもできる（同図の（Ｔ７）参照）。具体的には、記憶部１３０には、切替条件１３０ａとして、所定時間内における自動ドア３１の開閉回数（すなわち自動ドア３１の開閉頻度）の閾値が記憶されている。そして、切替判定部１２０ａは、記憶部１３０の開閉履歴１３０ｃを用いて自動ドア３１の開閉頻度を算出するとともに、算出した開閉頻度が上記の閾値以下である場合には、エコモードへの切替指示をモード切替部１２０ｂに対して行う。
【０１１１】
一方、算出した開閉頻度が上記の閾値を超えた場合には、通常モードへの切替指示をモード切替部１２０ｂに対して行う。このように、自動ドア３１の開閉履歴１３０ｃに基づき、自動ドア３１の開閉頻度が所定の頻度以下となったと判定した場合に、動作モードをエコモードへ切り替えることとすれば、店舗内が空いている場合には低環境負荷化を図ることのできるエコモードで駆動させるとともに混雑している場合には紙幣を高速で処理可能な通常モードで駆動させることができる。
【０１１２】
なお、ここでは、自動ドア３１に開閉検知センサを設けこととしたが、これに限ったものではなく、自動ドア３１の近傍に人感センサを設け、かかる人感センサの検知結果を用いて動作モードの切替判定を行ってもよい。
【０１１３】
また、切替判定部１２０ａは、整理券の発行頻度に応じて動作モードの切替判定を行うこともできる（同図の（Ｔ８）参照）。具体的には、記憶部１３０には、切替条件１３０ａとして、所定時間内における整理券の発行回数（すなわち整理券の発行頻度）の閾値が記憶されている。そして、切替判定部１２０ａは、記憶部１３０の整理券発行履歴１３０ｄを用いて整理券の発行頻度を算出するとともに、算出した発行頻度が上記の閾値以下である場合には、エコモードへの切替指示をモード切替部１２０ｂに対して行う。
【０１１４】
一方、算出した発行頻度が上記の閾値を超えた場合には、通常モードへの切替指示をモード切替部１２０ｂに対して行う。このように、整理券発行履歴１３０ｄに基づき、整理券の発行頻度が所定の頻度以下となったと判定した場合に、動作モードをエコモードへ切り替えることとすれば、同図の（Ｔ７）と同様、店舗内が空いている場合には低環境負荷化を図ることのできるエコモードで駆動させるとともに混雑している場合には紙幣を高速で処理可能な通常モードで駆動させることができる。
【０１１５】
このように、店舗内に設置される各種の機器からの情報を用いて店舗内の混雑度合いを特定し、特定した混雑度合いが所定以下である場合に動作モードを切り替えることとした。これによって、来客数が多いにもかかわらずエコモードで駆動することによって顧客の回転率が低下したり、あるいは、来客数が少ないにもかかわらず通常モードで駆動することによって無駄な消費電力を消費したりすることを防止できる。また、紙幣処理装置１をエコモードで駆動させることで、紙幣処理装置１によって発生する騒音レベルを低下させることができる。
【産業上の利用可能性】
【０１１６】
以上のように、本発明に係る紙幣処理装置は、高速処理化と低環境負荷化とを両立させたい場合に有用である。
【符号の説明】
【０１１７】
１    紙幣処理装置
１１    入金口
１１ａ  操出部
１２    識別計数部
１３    出金口
１３ａ  札叩きゴム
１４    リジェクト口
１４ａ  札叩きゴム
１５    一時保留部
１５ａ  操出部
１６    搬送路
１７ａ〜１７ｅ  スタッカ
１８    精査カセット
１１１    操作表示部
１１２    入金量検知センサ
１１３    騒音レベル測定部
１１４    駆動部
１１５    照明部
１２０    制御部
１２０ａ  切替判定部
１２０ｂ  モード切替部
１２０ｃ  駆動制御部
１２０ｄ  照明制御部
１３０    記憶部
１３０ａ  切替条件
１３０ｂ  モード設定情報
【図１】
2011159074.tif 000003
【図２】
2011159074.tif 000004
【図３】
2011159074.tif 000005
【図４】
2011159074.tif 000006
【図５】
2011159074.tif 000007
【図６】
2011159074.tif 000008
【図７】
2011159074.tif 000009
【図８】
2011159074.tif 000010
【図９】
2011159074.tif 000011
【図１０】
2011159074.tif 000012